(57)【要約】本発明は、圧縮空気温度を上昇するように排熱回収式空気流サイクルが使用されるときに、燃焼器内の火炎温度が高温になることにより排出レベルに影響を及ぼす問題を解消するための、ガスタービンエンジン用の空気流調整方法に関する。低排出燃焼器においては、排出レベルは一次燃焼領域の火炎温度に著しく依存する。空気流通路の形状を変更すること、すなわち、燃焼用の空気質量流量と冷却用の空気質量流量とに分配される全空気質量流量の配分を変更することにより、ガスタービンエンジンが単純式空気流サイクルエンジンもしくは排熱回収式空気流サイクルエンジンのいずれのエンジンとして使用された場合にも、燃焼器内における一次燃焼領域の火炎温度は、ほぼ同等に保持される。本発明の１つの態様においては、インピンジメント冷却用スキンの多孔における数と寸法の変更を行うことは、燃焼器壁冷却用の冷却装置の目的と、燃焼器サイクルにおける空気流調整用のバルブ手段の目的と、の二重の目的に適うものである。【特許請求の範囲】
【請求項１】
ガスタービンエンジンが単純式空気流サイクルエンジンもしくは排熱回収式空気流サイクルエンジンとしてのいずれのエンジンとして運転しても、燃焼器の一次燃焼領域の火炎温度がほぼ同等に保持されるように、燃焼用の空気質量流量と冷却用の空気質量流量との間での全空気質量流量の配分を変更するように、
空気流通路の形状を変更する段階を有した、
ガスタービンエンジン設計用の燃焼器サイクル空気流の調整方法。
【請求項２】
上記ガスタービンエンジンが単純式空気流サイクルエンジンとして使用されたときの燃焼用の空気質量流量に比して、上記ガスタービンエンジンが排熱回収式空気流サイクルエンジンとして使用されたときに、燃焼用の空気質量流量を減少するように空気通路の形状が変更されることを特徴とする請求項１に記載の調整方法。
【請求項３】
冷却空気用通路の形状変更により空気流通路の形状変更が実現することを特徴とする請求項２に記載の調整方法。
【請求項４】
燃焼器のインピンジメントスキンの形状変更により空気流通路の形状変更が実現することを特徴とする請求項２に記載の調整方法。
【請求項５】
燃焼器のインピンジメントスキンに設けられた複数の小孔の数と寸法との変更により空気流通路の形状変更が実現し、これにより、燃焼器のインピンジメントスキンが、冷却装置と、単純式流量サイクルと排熱回収式流量サイクルとにおける空気質量流量の配分調整を行うバルブと、の双方の機能を果たすことを特徴とする請求項２に記載の調整方法。
【請求項６】
上記インピンジメントスキンは、
一次燃焼領域を定義する燃焼器壁部に隣接するように配設され、かつ、燃焼器用の冷却要求にほぼ合致するように決められた数と寸法とを有した、第１のグループの孔と、
二次燃焼領域を定義する燃焼器壁部に隣接するように配設され、かつ、ガスタービンエンジンの空気流サイクルが単純式流量サイクルもしくは排熱回収式流量サイクルの一方から他方に変更されるときに流量配分の要求にほぼ合致するように調整される数と寸法とを有した、第２のグループの孔と、を含むことを特徴とする請求項５に記載の調整方法。
【請求項７】
一次燃焼領域を定義する燃焼器壁部に隣接するように配設され、かつ、燃焼器用の冷却要求にほぼ合致するように決められた数と寸法とを有した、第１のグループの孔と、
二次燃焼領域を定義する燃焼器壁部に隣接するように配設され、かつ、ガスタービンエンジンの空気流サイクルが単純式流量サイクルもしくは排熱回収式流量サイクルの一方から他方に変更されるときに流量配分の要求にほぼ合致するように調整される数と寸法とを有した、第２のグループの孔と、を含み、かつ、
ガスタービンエンジン燃焼器に取り付けられて上記燃焼器と組み合わされた、インピンジメント冷却用スキン。
【発明の詳細な説明】
【背景技術】
【０００１】
本発明はガスタービンエンジンに関する。特に、単純式空気流サイクルや排熱回収（復熱）式空気流サイクルのどちらを利用してエンジン設計を行っても、エンジンの空気流サイクルパターンに影響されずに低排出性能を確保するガスタービンエンジンの空気流分布の調整に関する。
【０００２】
産業用ガスタービンエンジンには、ますます厳しい排出基準が課されてきている。商品価値のある発電用の製品を提供するには、可能な限り低排出性能を備えていることが重要である。窒素酸化物（ＮＯｘ）や一酸化炭素（ＣＯ）の排出は所定のエンジン運転範囲において最小限に抑えなければならない。低排出レベルを達成するには、燃焼システムが低温度下で燃料と空気の完全燃焼を行うことが必要とされる。
【０００３】
水噴射せずにＮＯｘの低排出を実現できる燃焼器は、乾式低排出燃焼器（ｄｒｙ−ｌｏｗ  ｅｍｉｓｓｉｏｎｓ）（ＤＬＥ）として知られており、高エンジン効率と同時にクリーンな排出性能を与えるものとして有望視されている。この技術は、燃料／空気の混合気（燃料空気混合気）内における高い空気成分に依存している。低排出化も重要な問題であるが、製品の可能性が現実味を帯びてくると、燃焼システムの製造や保守にかかるコストを最小限にすることもまた重要となる。
【０００４】
ガスタービンエンジンの別の側面においては、エンジン効率は常に重要な課題である。ガスタービン効率は、エンジン排気部から熱を回収することより実質的に向上することが知られている。排熱回収式空気流サイクルを用いたガスタービンエンジンにおいては、圧縮機の空気は、燃焼器に流入する前に、エンジン排気部出口に設けられた排熱回収装置（復熱装置）もしくは熱交換器を通過する。従って、この結果生じる高温の燃焼器入口空気温度によって、圧縮機の空気が熱交換なく直接的に流入する単純式空気流サイクルを用いたガスタービンエンジンと比べて、同等の出口ガス温度を得るのにより少ない燃料の燃焼で済む。排熱回収式空気流サイクルは、ガスタービンのサイクル効率を大きく改善した。燃焼器入口空気温度を変化させることにより、同じ排気ガス温度を実現するための燃焼器内の燃空比が変化する。低排出燃焼器において、排出レベルは一次燃焼領域での燃空比に専ら依存しているために、燃空比の変化は大きな影響を与える。単純式空気流サイクルを使用したガスタービン燃焼器と排熱回収式空気流サイクルを使用したガスタービン燃焼器との相互間における燃空比変化の影響は、燃焼器の形状を変更することで緩和できる。しかしながら、単純式空気流サイクルの設計で運転するガスタービンエンジンモデルを、排熱回収式空気流サイクルの設計でも運転可能にするよう適合させることはコスト上の制約を受ける可能性があり、また、逆も同様である。
【発明の開示】
【発明が解決しようとする課題】
【０００５】
そのため、低排出レベルのまま、単純式と排熱回収式とのいずれの空気流サイクルの設計においても運転が可能なようにガスタービンエンジンモデルを適合させるときに、単純式空気流サイクルと排熱回収式空気流サイクルとにおいて変化する燃焼器の燃空比の影響を、経済的に緩和する方法が求められている。
【０００６】
本発明の１つの目的は、燃焼器エンジンにおいて単純式空気流サイクルと排熱式空気流サイクルとにおいて変化する燃焼器燃空比の影響を経済的に緩和する低排出エンジン設計にかかる方法を提供することである。
【０００７】
また、本発明の１つの目的は、ガスタービンエンジンが単純式空気流サイクルもしくは排熱回収式空気流サイクルのどちらを使用してもほぼ同等な火炎温度の保持をするガスタービンエンジン用燃焼器のサイクル空気流量の調整方法を提供することである。
【０００８】
さらに、本発明の１つの目的は、燃焼器壁の冷却を行う冷却装置と、燃焼用の空気質量流量と冷却用の空気質量流量とにかかる全空気質量流量の配分を調整するバルブと、しての二重の目的に適うガスタービンエンジン燃焼器用のインピンジメント冷却用スキンを提供することであり、これにより、ガスタービンエンジンが単純式空気流サイクルエンジンもしくは排熱回収式空気流サイクルエンジンのいずれのエンジンとして機能してもほぼ同等な燃焼器火炎温度が保持されるように燃空比を変更できる。
【課題を解決するための手段】
【０００９】
本発明の１つの態様に従えば、ガスタービンエンジン設計用の燃焼器におけるサイクル空気流量の調整方法が与えられる。この方法は、空気流通路の形状を変更する段階を有し、これにより、ガスタービンエンジンが単純式空気流サイクルエンジンもしくは排熱回収式空気流サイクルエンジンとしてのいずれのエンジンとして運転しても、燃焼器の一次燃焼領域の火炎温度をほぼ同等に保持するように、燃焼用の空気質量流量と冷却用の空気質量流量との間での全空気質量流量の配分を変更する。
【００１０】
空気流通路の形状は、ガスタービンエンジンが単純式空気流サイクルを使用するときの燃焼用の空気質量流量に比べて、ガスタービンエンジンが排熱回収式空気流サイクルを使用するときに燃焼用の空気質量流量が減少するように、変更されることが望ましい。この空気流通路の形状変更は、燃焼器のインピンジメントスキンの形状変更を行うことにより達成されるのが望ましい。
【００１１】
本発明の他の態様に従えば、ガスタービンエンジン燃焼器と一体になったインピンジメント冷却用スキンが与えられる。このインピンジメント冷却用スキンは、上記燃焼器に組み付けられており、また、一次燃焼領域を定義する燃焼器の壁部に隣接するように該スキンに配設されかつ燃焼器用の冷却要求にほぼ合致するように決められた数と寸法とを有する、第１のグループの孔を有する。このインピンジメント冷却用スキンは、さらに、二次燃焼領域を定義する燃焼器の壁部に隣接するように該スキンに配設された第２のグループの孔を有し、その数と寸法は、ガスタービンエンジンが単純式空気流サイクルもしくは排熱回収式空気流サイクルのどちらのサイクルとして運転しても流量配分の要求にほぼ合致するように調整される。
【００１２】
本発明は、ガスタービンエンジンの運転にかかる単純式空気流サイクルと排熱式空気流サイクルとにおける燃焼器の燃空比の影響を緩和する経済的な問題解決手法を好適に与えるものである。本発明によれば、燃焼器のインピンジメント冷却用スキンは、付加的な部品を必要とせずに、燃焼器壁の冷却を行う冷却装置としての目的と、燃焼用の空気質量流量と冷却用の空気質量流量とに分配される全空気質量流量の配分を調整するバルブとしての目的と、の二重の目的に適うものであり、これにより、例えば、エンジン空気流サイクルパターンの如何に拘わらず、ほぼ同等な燃焼器火炎温度の保持に適した必要空気質量流量が得られる。これにより、上記ガスタービンエンジンの低排出化が確保される。
【００１３】
本発明の他の長所や特徴は、以下に記載された好適な態様を参照することにより、一層明らかとなろう。
【発明を実施するための最良の形態】
【００１４】
ガスタービンエンジン運転用の単純式空気流サイクルの概略は、図１に示される。この図１において、符号１０で示されるガスタービンエンジンは、通常、空気入口１４とガス排気部出口１６とを備えたハウジング１２を含む。ハウジング１２内では、シャフト２２を介して、圧縮機１８がタービン２０により駆動される。燃焼器２４が、燃焼ガスを発生させることにより、タービン２０を回転させ、さらに出力タービン２５を回転させ、ついでシャフト２８を介して発電機２６を駆動するように、設けられる。ガスタービンエンジン運転用の単純式空気流サイクルにおける空気流は、矢印３０によって示される。上記入口１４から流入した空気は圧縮機１８により圧縮され、その後、この圧縮空気は直接、燃焼用として燃焼器２４に流入する。燃焼器２４から排出した燃焼ガスは、タービン２０と出力タービン２５とを通過するよう導かれ、その後、排出ガスはガス排気部出口１６から排出する。
【００１５】
ガスタービンエンジン運転用の排熱回収式空気流サイクルの概略は、図２に示される。この図２において、符号１１で示されるガスタービンエンジンは、通常、図１のガスタービンエンジン１０と同様である。ガスタービンエンジン１１は、上記ガスタービンエンジン１０と同様の部品を備え、これらの部品には同様な符号が付されているため、ここでは重複した説明を省略する。付加的に、ガスタービンエンジン１１は、排気ガスから熱を回収するために、ガス排気部出口１６に取り付けられた熱交換器である排熱回収装置３２を備える。ガスタービンエンジン運転用の排熱回収式空気流サイクルにおける空気流は、矢印３４によって示される。空気入口１４から流入した空気は、圧縮機１８により圧縮される。しかしながら、圧縮空気は、直接、燃焼器２４に導かれずに、熱交換のために排熱回収装置３２に導かれた後に燃焼器２４に流入する。図１に示す単純式空気流サイクルと同様に、燃焼ガスは、タービン２０と出力タービン２５を回転させるように燃焼器２４から排出され、その後、この排気ガスはガス排気部出口１６から排出される。上記排熱回収装置３２は、ガス排気部出口１６における排気ガスから圧縮ガスに熱を移動させるため、燃焼器２４に流入する圧縮空気の温度は、図１に概略を示す単純式空気流サイクルにおける燃焼器２４に流入する圧縮空気の温度よりも、はるかに高温となる。圧縮空気の温度を高温にするほど、同等の燃焼ガス温度を実現するのにより少ない燃料の燃焼で済むため、燃焼運転をより効率化できる。
【００１６】
また一方、圧縮空気の温度を低温にするほど、燃焼に必要な燃料の量が増加し、燃焼器２４内の燃空比が増大する。ＮＯｘの排出量は、図３に示すように、火炎温度に依存することが既に知られており、ＮＯｘの低排出要求に合うように低い温度点に火炎温度を保持することが望ましい。ＤＬＥシステムにおいては、燃焼器内、特に一次燃焼領域内において、非常に希薄な燃空比を保持することにより、低い火炎温度点が実現する。ガスタービンエンジンの設計が単純式空気流サイクル運転用から排熱回収式空気流サイクル運転用に切り換えられたときには、同等の排気ガス温度を実現するのにより多くの燃料が燃焼するため、通常、燃焼器内にこの希薄な燃空比を保持することはできない。燃焼器の形状の調整によって、ガスタービンエンジンの運転での単純式空気流サイクルと排熱回収用空気流サイクルとの切り換えによる影響が緩和される。しかしながら、単純式空気流サイクルの設計で運転するガスタービンエンジンモデルを、排熱回収式空気流サイクルの設計でも運転可能になるような適合が要求されたときに、燃焼器の形状の変更はコスト上の制約受けることになり、また、逆の場合も同様である。
【００１７】
このため、本発明のガスタービンエンジン用燃焼器サイクルの空気流調整方法が開発された。この調整方法は、図４に概略が示され、ガスタービンエンジンの全空気質量流量３６がエンジン燃焼システム４２用の空気質量流量３８と該エンジンの冷却システム４４用の空気質量流量４０とに分配される。排気燃焼ガスは、排気冷却空気と一体となって矢印４６に示すようにエンジンから排出される。この排気燃焼ガスの温度は、サイクルの如何に拘わらず、一定に保持されなければならない。空気質量流量３８，４０のいずれかの抵抗が変化すると、これにより、全空気質量流量に占める、上記燃焼システム４２用の空気質量流量３８と、上記冷却システム４４用の空気質量流量４０と、の配分が変化する。この空気質量流量の抵抗変化は、バルブ手段４８を、空気質量流量４０用の空気流支流に接続することで実現し得る。上記バルブ手段４８は、いずれの空気流支流にも接続可能である。
【００１８】
本発明によれば、いずれかの空気流支流内の空気流の抵抗を調整するために、上記の物理的に示されたバルブ手段４８は必要ない。いずれかの空気質量流量３８、４０の空気通路の形状を変更することにより、空気質量流量３８、４０の該通路における空気流の抵抗が調整され、これにより、空気流量の配分が調整されるため、実質的にバルブ機能を果たすことになる。上記エンジンが排熱回収用空気流サイクル用に設計されかつその設計が単純式空気流サイクル運転用の設計から適合されるときには、空気質量流量３８を減少させるように空気質量流量３８用もしくは空気質量流量４０用の空気通路の形状を変更することにより、減少した燃料の燃焼が補填され、いずれの変更前のエンジン設計が使用されても、燃焼器の一次燃焼領域内の火炎温度と排出ガス温度とがほぼ同様に保持される。
【００１９】
本発明の１つの態様によれば、図５に示すような燃焼システム４２の空気質量流量３８に作用するようにインピンジメント冷却用スキンの形状変更を行うことは、都合が良くかつ経済的である。サイクロン燃焼器１１０は、中心軸１４、上流端１１６、下流端１１８を備えかつ環状の側壁１２０により区画された、円筒状の燃焼器缶１１２を備える。上記上流端１１６は上流端壁１２２により閉構造となっており、上記下流端１１８はエンジンのタービン部（図示せず）と流体的に連通している。３つの入口開口部１２４（１つのみ図示）が、燃焼器缶１１２内に予混合の燃料空気混合気を導入するように、環状の側壁１２０上であってかつ上流端壁１２２に隣接したところに設けられる。予混合の燃料空気混合気の燃焼プロセスは、通常、燃焼器缶１１２の上流部領域内に区分される一次燃焼領域において行われる。燃焼生成物はこの一次燃焼領域１２６内で発生するが、未反応の燃料と空気とにより、燃焼器缶１１２の一次燃焼領域１２６の下流側の部分における二次燃焼領域１２８において、燃焼プロセスが完了する。その後、最終的な燃焼生成物が上記下流端１１８からタービン部に排出される。
【００２０】
３つの燃料空気予混合管１３０、例えば予混合ベンチュリ管（２つのみ図示）、が燃焼器缶１１２の側壁１２０上に取り付けられ、かつ上流端壁１２２に隣接して位置決めされる。これらの予混合管１３０は、互いに周方向に等間隔に配設され、上記側壁１２０上の各々の入口開口部１２４を介して燃焼器缶１１２と流体的に連通している。
【００２１】
それぞれの予混合管１３０は、燃料空気混合気を生成するための管主要部１３２と燃焼に必要な燃料空気混合気を燃焼器缶１１２に噴射するための出口部１３４とを有する。上記管主要部１３２は、燃焼器缶１１２の中心軸１１４にほぼ平行に延びた中心軸１３６を有する。上記出口部１３４は、上記管主要部１３２の中心軸１３６に対しほぼ垂直に延び、かつ、燃焼器缶１１２に対し半径方向に向きかつ接線方向にオフセットした方向に配設されている。これにより、予混合管１３０の出口部１３４から流出する希薄燃料空気混合気の流れがそれぞれ接線方向にオフセットされているために、上記側壁１２０の各入口開口部１２４から噴射された希薄な燃料空気混合気の流れが、燃焼器缶１１２の一次燃焼領域１２６内にらせん状のスワール流を形成する。一次燃焼領域１２６内でらせん状のスワール流を伴った希薄予混合気を燃焼させることにより、燃焼器缶１１２内において低温の火炎の最適な循環を起こすことができ、これにより、燃焼器缶１１２のライナの寿命を延ばし、燃焼プロセスやエンジンのターンダウン時での火炎安定性を向上し、併せて、燃焼による騒音や排出レベルを一層低減できる。
【００２２】
上記管の寸法は、一次燃焼領域１２６からこの予混合管１３０の管主要部１３２に向かう逆火を好適に抑制できる大きさである。入口開口部１２４の配置と、上記予混合管１３０の接線方向のオフセットにより発生する接線方向に作用する希薄予混合気流の運動量と、を有効に利用するように、パイロット燃料ライン１４２と点火装置１４６が配設される。
【００２３】
インピンジメント冷却用のスキン１４８が設けられる。このインピンジメント冷却用スキン１４８は、多孔を有した巻き付け加工された（ラップアラウンドの）板金からなり、半径方向に所定の間隔をおいて燃焼器缶１１２の環状の側壁１２０を取り囲むように位置決めされている。インピンジメント冷却用スキン１４８が、燃焼器缶１１２の上流端壁１２２から軸方向に所定の間隔をおいて位置決めされた多孔状のスキン端部１４９を有することは任意である。
【００２４】
上記スキン端部１４９とインピンジメント冷却用スキン１４８に設けられた孔は、２つのグループに分けられる。上記第１のグループの孔は、スキン端部１４９と、上記一次燃焼領域１２６を定義する燃焼器の壁部に隣接したインピンジメント冷却用スキン１４８の部分と、に配設された孔１５０を有する。上記第２のグループの孔は、上記二次燃焼領域１２８を定義する燃焼器の壁部に隣接した、インピンジメント冷却用スキン１４８の部分に配設された孔１５２を有する。上記第１のグループの孔１５０は、一次燃焼領域１２６を定義する燃焼器の壁部の冷却要求にほぼ合うように、定められた所定の数と所定の寸法とを有する所定のパターンで分布している。これに対して、第２のグループの孔１５２の数と寸法とこれらによるパターンは、サイクロン燃焼器１１０が異なる空気流サイクル運転用に設計されるときに、ガスタービンエンジンの運転に対する所定の空気流サイクルに関連した流量分布の要求をほぼ満たしかつ第２の領域を冷却させるように、変更の対象となる。
【００２５】
インピンジメント冷却用スキン１４８は、さらに、ハウジング１５６に密閉するように接続した密閉リング１５４を備え、図５においては、該密閉リングの一部分のみを示す。このハウジング１５６は上記燃焼器缶１１２を収容する。そのため、両者の間に、冷却空気用の空気通路の部分となる環部１５８が構成される。圧縮空気が上述のようにサイクロン燃焼器１１０に達すると、全空気質量流量は、予混合管１３０に流入しかつ燃料と混合することで燃焼器缶１１２内での燃焼に供する燃料空気混合気を発生させる空気質量流量３８と、上記環部１５８を通してスキン端部１４９上の孔１５０とインピンジメント冷却用スキン１４８上の孔１５０，１５２とに流入する空気質量流量４０とに、分配される。このスキン端部１４９上の孔１５０とインピンジメント冷却用スキン１４８上の孔１５０，１５２とに流入した空気は、燃焼器缶１１２における、上流端壁１２２と側壁１２０とに吹き付けられ、これらの壁から熱を奪う。一次燃焼領域１２６を定義する燃焼器の壁部は、通常、二次燃焼領域１２８を定義する燃焼器の壁部に比べて高温となるため、一次燃焼領域１２６を定義する燃焼器の壁部は、ガスタービンエンジンの運転のどの空気流サイクルに拘わらず冷却要求をほぼ満たすように具体的に設計された孔１５０から、空気により冷却される。
【００２６】
孔１５０の所定のパターンとは対照的に、孔１５２は、ガスタービンエンジン運転の特定の空気流サイクルに対する空気流分配要求にほぼ基づいて設計される。燃焼器１１０が単純式空気流サイクル運転用に設計されるときには、孔１５２の数と寸法を減らすことで、排熱回収式の空気流サイクル運転用の空気質量の分配と比して冷却空気通路の空気抵抗を増大し、例えば、より少ない空気質量流量４０が冷却用に導入されるとともに、比較的に多くの空気質量流量３８が燃焼用に予混合管１３０に導入される。
【００２７】
これにひきかえ、燃焼器１１０が排熱回収式空気流サイクル運転用に設計されるときには、空気孔１５２の数と寸法を増やすことで、単純式空気流サイクル運転用の空気質量の分配と比して冷却空気通路の空気抵抗を減らし、より多くの空気質量流量４０が冷却用に導入されるとともに、比較的に少ない空気質量流量３８が燃焼用に予混合管１３０に導入される。
【００２８】
本発明の態様において、かかる方法を使用することにより、上記インピンジメント冷却用スキン１４８，１４９は、燃焼器壁１２０，１２２を冷却する冷却装置として、かつ、燃焼用に空気質量流量３８，４０同士の空気の配分を調整するバルブ手段として、の二重の目的に適うものとなる。従って、燃焼器に対し他の複雑な変更を必要とせずにインピンジメント冷却用スキン１４８，１４９の設計のみを改良することで、同等の低排出レベルを保持しつつ単純式もしくは排熱回収式のいずれの空気流サイクル運転に適したガスタービンエンジンの設計を行うことができるので、使いやすくかつ経済的な方法となる。インピンジメント冷却用スキン１４８に設けられた孔１５２の数と寸法を変更することは、同時に冷却効果に影響を及ぼす。しかしながら、上記孔１５２は、二次燃焼領域１２８を定義する燃焼器の壁部に対して空気を吹き付けるように割り当てられたものであり、該二次燃焼領域はより低温にさらされるため、冷却性能に与える弊害が減少する。冷却性能は、排熱回収式サイクルに関連したさらに厳しい条件に対して最適化される。
【００２９】
付随的に、本発明の他の態様によれば、ガスタービンエンジン燃焼器は、インピンジメント冷却用スキン１４８の孔１５２を選択的に塞げるように、取り外し可能なカバーシートもしくはカバーリングを付加して製造され得る。これにより、上記ガスタービンエンジンは、低排出レベルを保持しつつ単純式もしくは排熱回収式の空気流サイクルエンジンとして代替的に運転することに対応できる。
【００３０】
上述したサイクロン燃焼器は、本発明の態様の一つを説明する例示にのみ過ぎず、本発明によれば、ガスタービンエンジン用の燃焼器サイクルにおける空気流調整方法は、様々な燃焼器システムに応用できる。本発明は、また、スワール式拡散放出燃焼用の設計に対しても適用できる。当業者であれば、本発明の上述した態様に基づいた改良や改善は、自明であろう。上述の記載は、例示的であって制限的なものではない。したがって、本発明の内容は、添付の特許請求の範囲に基づいて定められる。
【図面の簡単な説明】
【００３１】
【図１】単純式空気流サイクルで運転するガスタービンエンジンの概略図
【図２】排熱回収式空気流サイクルで運転するガスタービンエンジンの概略図
【図３】ＮＯｘ排出レベルと火炎温度との関係を示す図
【図４】本発明によるガスタービンエンジンの空気流の分配を示す図
【図５】燃焼器断面を示すように燃焼器の一部を破断図で示した、本発明の１つの態様であるインピンジメント冷却用のスキンを備えたガスタービン燃焼器の側面立面図
【国際公開パンフレット】
2004522138.tif 000002
2004522138.tif 000003
2004522138.tif 000004
2004522138.tif 000005
2004522138.tif 000006
2004522138.tif 000007
2004522138.tif 000008
2004522138.tif 000009
2004522138.tif 000010
2004522138.tif 000011
2004522138.tif 000012
2004522138.tif 000013
2004522138.tif 000014
2004522138.tif 000015
2004522138.tif 000016
2004522138.tif 000017
2004522138.tif 000018
2004522138.tif 000019
2004522138.tif 000020
2004522138.tif 000021
2004522138.tif 000022
【国際調査報告】
2004522138.tif 000023
2004522138.tif 000024
2004522138.tif 000025